(57)【特許請求の範囲】
【請求項１】
筐体と、前記筐体の一部に設けられるタッチセンサと、を具備する電子機器であって、
前記タッチセンサは、
少なくとも文字、図形、記号のいずれかを表す部分を有する透光性パネルと、
前記透光性パネルにユーザが触れたこと感知するプリント回路板と、
前記文字、図形、記号のいずれかを表す部分に正対する位置で前記プリント回路板に実装されるとともに、前記透光性パネルに向けて光を照射する発光ダイオードと、
前記透光性パネルと前記発光ダイオードとの間に設けられるとともに、前記発光ダイオードから照射される光を拡散させる拡散シートと、
を備え、
前記拡散シートは、
前記光をそのまま透過させるように透明になった第１の領域と、
前記光を前記透光性パネルの前記文字、図形、記号のいずれかを表す部分の外周部に向けて拡散させるように曇った第２の領域と、
を有し、
前記第１の領域は、前記第２の領域の周囲に設けられ、
前記第２の領域は、前記拡散シートの前記発光ダイオードに正対する部分に設けられた領域であることを特徴とする電子機器。
【請求項２】
筐体と、前記筐体の一部に設けられるタッチセンサと、を具備する電子機器であって、
前記タッチセンサは、
少なくとも文字、図形、記号のいずれかを表す部分を有する透光性パネルと、
前記透光性パネルにユーザが触れたこと感知するプリント回路板と、
前記文字、図形、記号のいずれかを表す部分に正対する位置で前記プリント回路板に実装されるとともに、前記透光性パネルに向けて光を照射する発光ダイオードと、
前記透光性パネルと前記発光ダイオードとの間に設けられるとともに、前記発光ダイオードから照射される光を拡散させる拡散シートと、
を備え、
前記拡散シートは、
前記光をそのまま透過させるように透明になった第１の領域と、
前記光を前記透光性パネルの前記文字、図形、記号のいずれかを表す部分の外周部に向けて拡散させるように曇った第２の領域と、
を有し、
前記第１の領域は、前記第２の領域の周囲に設けられ、
前記第２の領域は、前記拡散シートの前記発光ダイオードに正対する部分を含んだ帯状の領域であることを特徴とする電子機器。
【請求項３】
前記第２の領域は、中央部に行くにつれて曇りの程度が大きくなることを特徴とする請求項２に記載の電子機器。
【発明の詳細な説明】
【技術分野】
【０００１】
本発明は、各種の処理を指示するための操作部をなしているタッチセンサを備えた電子機器に関する。
【背景技術】
【０００２】
１つの発光ダイオードによって照光部の広範囲を照らすことを可能とした携帯電話機が開示されている。この携帯電話機は、外郭の一部を構成しているリアケースと、リアケースの一部に設けられた乳白色アクリル樹脂製の照光部と、照光部に光を照射するための発光ダイオードと、開口部を有するとともにこの開口部に前記発光ダイオードを実装したプリント基板と、照光部と発光ダイオードとの間に設けられた拡散シートと、プリント基板の開口部に対応して設けられた反射シートと、を備えている。拡散シートは、発光ダイオードの光を拡散して、照光部における光の拡散効果を向上させるためのものである。反射シートは、プリント基板に対して、拡散シートとは反対側の位置に設けられている。
【０００３】
この携帯電話機では、電話の着信の際や、メールを受信した際に、発光ダイオードが発光する。この光の一部は、拡散シートで拡散されて、照光部に照射される。また、発光ダイオードから照射される光のうち、プリント基板に沿った方向に照射される光は、拡散シートで反射して、開口部を通ってプリント基板の反対側に照射される。この光は、反射シートにおいて反射して、再び開口部を通って拡散シートを透過し、照光部に照射される。これによって、プリント基板に沿った方向に漏れた光についても、反射板によって拡散シートに反射させることができ、当該光を有効に活用できるとしている（例えば、特許文献１参照）。
【特許文献１】特開２００３−１３４２１０号公報
【発明の開示】
【発明が解決しようとする課題】
【０００４】
しかしながら、プリント基板に沿った方向に照射される光については、もともと弱い光であるため、この弱い光を反射板で反射し、且つ拡散シートによって拡散させてしまうと、実際にはこの光が照光部の表面まで届かないという現象が起こりうる。このため、見た目の印象として、照光部の外周部が暗くなってしまうことがある。一方、この問題を解決するために、発光ダイオードに供給する電流を大きくすることが考えられるが、電流を大きくすると今度は消費電力が大きくなるという問題がある。
【０００５】
本発明の目的は、消費電力を低く抑えつつ、タッチセンサ全体を明るく照らすことができる電子機器を提供することにある。
【課題を解決するための手段】
【０００６】
前記目的を達成するため、本発明の一つの形態に係る電子機器は、筐体と、前記筐体の一部に設けられるタッチセンサと、を具備する電子機器であって、前記タッチセンサは、少なくとも文字、図形、記号のいずれかを表す部分を有する透光性パネルと、前記透光性パネルにユーザが触れたこと感知するプリント回路板と、前記文字、図形、記号のいずれかを表す部分に正対する位置で前記プリント回路板に実装されるとともに、前記透光性パネルに向けて光を照射する発光ダイオードと、前記透光性パネルと前記発光ダイオードとの間に設けられるとともに、前記発光ダイオードから照射される光を拡散させる拡散シートと、を備え、前記拡散シートは、前記光をそのまま透過させるように透明になった第１の領域と、前記光を前記透光性パネルの前記文字、図形、記号のいずれかを表す部分の外周部に向けて拡散させるように曇った第２の領域と、を有し、前記第１の領域は、前記第２の領域の周囲に設けられ、前記第２の領域は、前記拡散シートの前記発光ダイオードに正対する部分に設けられた領域である。
【発明の効果】
【０００７】
本発明によれば、消費電力を低く抑えつつ、照光部全体を明るく照らすことができる電子機器を提供できる。
【発明を実施するための最良の形態】
【０００８】
以下に、図１から図４を参照して、電子機器の実施形態について説明する。本実施形態では、電子機器の一例として、いわゆるノートブック型のパーソナルコンピュータであるポータブルコンピュータに適用した場合を例に説明する。
【０００９】
図１に示すように、ポータブルコンピュータ１１は、本体ユニット１２と、ディスプレイユニット１３と、本体ユニット１２とディスプレイユニット１３との間に設けられるヒンジ部１４と、を備えている。ヒンジ部１４は、ディスプレイユニット１３を回動可能に支持している。ヒンジ部１４は、本体ユニット１２に対して閉じている状態と、本体ユニット１２に対して開いている状態との間で回動できるようにディスプレイユニット１３を支持している。
【００１０】
図１に示すように、ディスプレイユニット１３は、ディスプレイキャビネット１５と、ディスプレイキャビネット１５の内部に収納されるディスプレイの一例である液晶ディスプレイ１６と、を備えている。
【００１１】
本体ユニット１２は、合成樹脂製の本体キャビネット２１と、本体キャビネット２１の内部に収容される図示しない第１のプリント回路板と、本体キャビネット２１に取り付けられたキーボード２３およびタッチパッド２４と、本体キャビネット２１の一部に設けられるタッチセンサ２５と、を備えている。第１のプリント回路板は、ＣＰＵ等の複数の回路部品を有している。タッチセンサ２５は、例えば、静電容量の変化を検出して、ユーザの指が触れたこと感知できる静電式のものである。
【００１２】
図２に示すように、タッチセンサ２５は、例えば、音楽プレーヤーの起動ボタン２６、再生・一時停止ボタン２７、停止ボタン２８、巻き戻しボタン２９、早送りボタン３０、などを含んでいる。図３に示すように、タッチセンサ２５の各ボタンは、本体キャビネット２１のキーボード２３よりも奥の位置に設けられた透光性パネル３２と、透光性パネル３２の下方に設けられた第２のプリント回路板３３と、第２のプリント回路板３３に実装される光源である発光ダイオード３４と、透光性パネル３２と発光ダイオード３４との間に設けられる拡散シート３５と、を備えている。透光性パネル３２は、本体キャビネット２１の開口部に嵌め込まれて固定されている。透光性パネル３２は、例えば、合成樹脂によってブラックを基調として、半透明に形成されている。なお、本発明にいう筐体は、ディスプレイキャビネット１５と本体キャビネット２１とを含んだ概念である。タッチセンサ２５に用いられる光源としては、発光ダイオード３４に限られるものではなく、例えば電球などであってもよい。
【００１３】
タッチセンサ２５は、図４に示すように、さらに、透光性パネル３２と拡散シート３５とを接着するための第１の両面テープ３６と、拡散シート３５と第２のプリント回路板３３とを接着するための第２の両面テープ３７と、を有している。第１の両面テープ３６および第２の両面テープ３７は、それぞれ透光性を有している。拡散シート３５および第２のプリント回路板３３は、第１の両面テープ３６および第２の両面テープ３７を介して透光性パネル３２に接着されている。なお、図３では、第１の両面テープ３６および第２の両面テープ３７の図示を省略している。
【００１４】
透光性パネル３２は、シルク印刷層３８を有している。このシルク印刷層３８は、透光性および光拡散性のある乳白色の塗料、すなわちシルクによって例えば、文字、図形、記号を表すように形成されている。
【００１５】
図３と図４に示すように、第２のプリント回路板３３は、プリント配線板４１と、プリント配線板４１上に形成されたタッチセンサ本体４２と、図示しない複数の回路部品と、を有している。タッチセンサ本体４２は、例えば、プリント配線板４１上に印刷された方形の導体パターン（グランド）として形成されている。第２のプリント回路板３３のタッチセンサ本体４２は、ユーザの指が透光性パネル３２に触れた際の静電容量の変化を検出できる。
【００１６】
プリント配線板４１は、拡散シート３５に対向する第１の面４１Ａと、第１の面４１Ａとは反対側の第２の面４１Ｂと、第１の面４１Ａと第２の面４１Ｂを貫通するように設けられる開口部４１Ｃと、を有している。開口部４１Ｃは、長円形状に形成されている。光源である発光ダイオード３４は、開口部４１Ｃと重なり合うように第２の面４１Ｂに実装されている。
【００１７】
拡散シート３５は、合成樹脂によって形成されたフィルム状のものであり、光をそのまま透過させるように透明になっている第１の領域４３と、光を周囲に向けて拡散させるように曇っている第２の領域４４と、を有している。第２の領域４４は、光源である発光ダイオード３４に対応する位置に設けられている。より具体的には、第２の領域４４は、拡散シート３５の発光ダイオード３４に正対する部分に方形に形成されている。第２の領域４４は、発光ダイオード３４がプリント配線板４１の開口部４１Ｃから露出している部分よりも、一回り大きく形成されている。
【００１８】
第２の領域４４は、拡散シート３５の表面に対して研磨処理、例えばサンドブラストなどの表面処理を施して形成されている。第２の領域４４では、発光ダイオード３４から照射される光を透光性パネル３２の外周部に向けて拡散することができる。第１の領域４３は、第２の領域４４の周囲に設けられている。
【００１９】
続いて、図３と図４を参照して、本実施形態のタッチセンサ２５の作用について説明する。本実施形態において、ユーザの指が透光性パネル３２の早送りボタン３０に触れると、第２のプリント回路板３３のタッチセンサ本体４２において、静電容量の変化が検出される。これによって、ユーザの指が透光性パネル３２に触れていることが感知される。ポータブルコンピュータ１１の電源がオンになっている状態において、透光性パネル３２は、発光ダイオード３４によって明るく照らされている。このとき、図４に示すように、発光ダイオード３４から透光性パネル３２に向かってまっすぐに照射される光は、拡散シート３５の第２の領域４４に照射され、第２の領域４４において拡散されて透光性パネル３２のシルク印刷層３８に照射される。また、発光ダイオード３４から第２の領域４４の周縁部に向けて照射された光は、透光性パネル３２のシルク印刷層３８の外周部に向けて拡散するように照射される。
【００２０】
また、第２の領域４４から外れて、第１の領域４３に向けて発光ダイオード３４から斜めに照射される光については、拡散シート３５をそのまま透過して、シルク印刷層３８にまっすぐ照射される。
【００２１】
第１の実施形態によれば、ポータブルコンピュータ１１は、筐体と、筐体に取り付けられたタッチセンサ２５と、を具備し、タッチセンサ２５は、筐体の一部に設けられる透光性パネル３２と、透光性パネル３２にユーザが触れたこと感知するプリント回路板３３と、プリント回路板３３に実装されるとともに、透光性パネル３２に向けて光を照射する光源と、透光性パネル３２と光源との間に設けられるとともに、光源から照射される光を拡散させる拡散シート３５と、を備え、拡散シート３５は、光をそのまま透過させるように透明になった第１の領域４３と、光を透光性パネル３２の外周部に向けて拡散させるように曇った第２の領域４４と、を有し、第２の領域４４は、光源に対応する位置に設けられるとともに、第１の領域４３は、第２の領域４４の周囲に設けられる。
【００２２】
通常、発光ダイオード３４から照射される光は、発光ダイオード３４の直上方向に照射される光が最も強く、発光ダイオード３４の周囲方向に行くにつれて光は徐々に弱くなる。この構成によれば、拡散シート３５の第２の領域４４が光源である発光ダイオード３４に対応する位置に設けられるため、発光ダイオード３４から直上方向に照射される強い光を透光性パネル３２の外周部にまで拡散することができる。また、拡散シート３５の第１の領域４３が第２の領域４４の周囲に設けられているため、発光ダイオード３４から斜めに照射される弱い光については、第１の領域４３を透過して拡散されることなく透光性パネル３２に照射させることができる。これによって、透光性パネル３２の外周部に向けて斜めに照射される弱い光が拡散シート３５で拡散されて、透光性パネル３２の表面まで光が届かなくなる事態を生ずることを防止できる。これらによって、透光性パネル３２のシルク印刷層３８の外周部が暗くなることがなく、透光性パネル３２の表面を均一に照らすことができる。
【００２３】
本実施形態のタッチセンサ２５では、透光性パネル３２と光源との間に拡散シート３５が介在されるのみであるので、タッチセンサ２５の設置に要するスペースを小さくすることができる。また、光を拡散するために特殊なレンズ等を使用する必要がなく、曇った第２の領域４４を有する拡散シート３５を用いることで足りるため、ポータブルコンピュータ１１の製造にかかるコストを低く抑えることができる。以上のことから、実装時に光源と透光性パネル３２との間に十分な距離がとれない場合に、十分な光拡散効果のあるタッチセンサ２５を備えた電子機器を低コストで提供することができる。
【００２４】
この場合、第２の領域４４は、拡散シート３５の光源に正対する部分に設けられた領域である。この構成によれば、第２の領域４４が光源である発光ダイオード３４の正面の位置に配置されるため、発光ダイオード３４から直上方向に照射される光について、拡散シート３５の第２の領域４４を透過させて、これを確実に拡散させることができる。一方、発光ダイオード３４からその周囲方向に斜めに照射される光については、拡散シート３５において拡散することなく、透光性パネル３２にそのまま照射させることができる。
【００２５】
続いて、図５を参照して、電子機器の第２の実施形態について説明する。第２の実施形態の電子機器の一例であるポータブルコンピュータ５１は、拡散シート３５の第２の領域５２の構成が第１の実施形態と異なっているが、他の部分は第１の実施形態と共通している。このため、主として第１の実施形態と異なる部分について説明し、共通する箇所については共通の符号を付して説明を省略する。
【００２６】
拡散シート３５は、合成樹脂によって形成されたフィルム状のものであり、光をそのまま透過させるように透明になっている第１の領域４３と、光を周囲に向けて拡散させるように曇っている第２の領域５２と、を有している。第２の領域５２は、光源である発光ダイオード３４に対応する位置に、第１の実施形態のものと同形状に設けられている。より具体的には、第２の領域５２は、拡散シート３５の発光ダイオード３４に正対する部分に方形に形成されている。第２の領域５２は、発光ダイオード３４がプリント配線板４１の開口部４１Ｃから露出している部分よりも、一回り大きく形成されている。
【００２７】
第２の領域５２は、拡散シート３５に対して例えば乳白色の塗料、すなわちシルクを印刷して形成したシルク印刷層５３で構成されている。このシルク印刷層５３は、透光性および光の拡散性を有している。第１の領域４３は、第２の領域５２の周囲に設けられている。
【００２８】
本実施形態において、ポータブルコンピュータ５１の電源がオンになっている状態では、透光性パネル３２は、発光ダイオード３４によって明るく照らされている。このとき、図５に示すように、発光ダイオード３４からその直上方向に向けてまっすぐに照射される光は、拡散シート３５のシルク印刷が施された部分である第２の領域５２に照射される。この光は、第２の領域５２において周辺の方向に拡散され、透光性パネル３２のシルク印刷層３８に照射される。また、発光ダイオード３４から第２の領域５２の周縁部に向けて照射された光は、透光性パネル３２のシルク印刷層３８の外周部に向けて拡散するように照射される。
【００２９】
また、第２の領域５２から外れて、第１の領域４３に向けて発光ダイオード３４から斜めに照射される光については、拡散シート３５の第１の領域４３をそのまま透過して、シルク印刷層３８の外周部にまっすぐ照射される。
【００３０】
第２の実施形態によれば、シルク印刷層３８によって拡散シート３５に第２の領域５２を形成したとしても、第２の領域５２において光を周辺方向に拡散させることができる。このため、透光性パネル３２のシルク印刷層３８の外周部が暗くなることがなく、透光性パネル３２のシルク印刷層３８の全体を明るく照らすことができる。
【００３１】
続いて、図６と図７を参照して、電子機器の第３の実施形態について説明する。第３の実施形態の電子機器の一例であるポータブルコンピュータ６１は、拡散シート６２の構成が第１の実施形態と異なっているが、他の部分は第１の実施形態と共通している。このため、主として第１の実施形態と異なる部分について説明し、共通する箇所については共通の符号を付して説明を省略する。
【００３２】
拡散シート６２は、合成樹脂によって形成されたフィルム状のものであり、光をそのまま透過させるように透明になっている第１の領域６３と、光を周囲に向けて拡散させるように曇っている第２の領域６４と、を有している。第２の領域６４は、拡散シート６２の全面に設けられている。第２の領域６４は、拡散シート６２の表面に対して研磨処理、例えばサンドブラストなどの表面処理を施して形成されている。第１の領域６３は、拡散シート６２に設けられた一対の貫通孔６５として形成されている。貫通孔６５は、拡散シート６２のうち、光源である発光ダイオード３４に正対する位置６６と隣接する位置に設けられている。これら一対の貫通孔６５は、プリント配線板４１に形成された長孔状の開口部４１Ｃに正対する位置にそれぞれ配置されている。
【００３３】
第２のプリント回路板３３は、プリント配線板４１と、プリント配線板４１上に形成されたタッチセンサ本体４２と、複数の図示しない回路部品と、を有している。タッチセンサ本体４２は、例えば、プリント配線板４１上に印刷された方形の導体パターン（グランド）として形成されている。
【００３４】
プリント配線板４１は、拡散シート６２に対向する第１の面４１Ａと、第１の面４１Ａとは反対側の第２の面４１Ｂと、光源である発光ダイオード３４に対応する位置で第１の面４１Ａと第２の面４１Ｂを貫通するように設けられる開口部４１Ｃと、を有している。開口部４１Ｃは、長円形状に形成されている。光源である発光ダイオード３４は、開口部４１Ｃと重なり合うように第２の面４１Ｂに実装されている。図６と図７に示すように、拡散シート６２の第１の領域６３を形成する貫通孔６５は、プリント配線板４１の開口部４１Ｃに正対する位置に配置されている。なお、図６では、第１の両面テープ３６および第２の両面テープ３７の図示を省略している。
【００３５】
ポータブルコンピュータ６１の電源がオンになっている状態では、透光性パネル３２は、発光ダイオード３４によって明るく照らされている。図７に示すように、発光ダイオード３４からその直上方向に向けてまっすぐに照射される光は、拡散シート６２の第２の領域６４に照射されるとともに周辺の方向に拡散され、透光性パネル３２のシルク印刷層３８に照射される。また、拡散シート６２の発光ダイオード３４に正対する位置６６の周縁部に向けて、発光ダイオード３４から照射された光は、透光性パネル３２のシルク印刷層３８の外周部に向けて拡散するようにシルク印刷層３８に照射される。さらに、第２の領域６４から外れて、第１の領域６３に向けて発光ダイオード３４から斜めに照射される光については、第１の領域６３である貫通孔６５をそのまま透過して、シルク印刷層３８にまっすぐに照射される。
【００３６】
第３の実施形態によれば、第２の領域６４を拡散シート６２の全面に形成し、第１の領域６３を貫通孔６５として形成することにより、拡散シート６２を簡単な構成で実現することができる。特に、本実施形態によれば、第１の領域６３が貫通孔６５で形成されるため、第１の領域６３を通る光がさらに弱くなることがなく、透光性パネル３２のシルク印刷層３８の中央部から外周部に至るまで均一な明るさにすることができる。
【００３７】
本実施形態では、プリント回路板３３は、拡散シート６２に対向する第１の面４１Ａと、第１の面４１Ａとは反対側に設けられるとともに光源が実装される第２の面４１Ｂと、光源に対応する位置で第１の面４１Ａと第２の面４１Ｂとを貫通するように設けられる開口部４１Ｃと、を有し、貫通孔６５は、開口部４１Ｃに正対する位置に配置される。この構成によれば、第２の面４１Ｂに実装される光源の光は、開口部４１Ｃを通って第１の面４１Ａの方向に照射される。すなわち、光源の光は、開口部４１Ｃの形状に倣って拡散され、透光性パネル３２に向けて照射される。上記のように、貫通孔６５が開口部４１Ｃに正対していれば、開口部４１Ｃで拡散された輝度の低い光を貫通孔６５の内部に導いて、この輝度の低い光をさらに弱めることなく透光性パネル３２まで導くことができる。これによって、透光性パネル３２上のシルク印刷層３８を均一に発光させることができる。
【００３８】
続いて、図８を参照して、電子機器の第４の実施形態について説明する。第４の実施形態の電子機器の一例であるポータブルコンピュータ７１は、拡散シート７２の構成が第１の実施形態と異なっているが、他の部分は第１の実施形態と共通している。このため、主として第１の実施形態と異なる部分について説明し、共通する箇所については共通の符号を付して説明を省略する。
【００３９】
拡散シート７２は、合成樹脂によって形成されたフィルム状のものであり、光をそのまま透過させるように透明になっている第１の領域７３と、光を周囲に向けて拡散させるように曇っている第２の領域７４と、を有している。第２の領域７４は、光源である発光ダイオード３４に対応する位置に設けられている。より具体的には、第２の領域７４は、拡散シート７２の光源に正対する部分７５を含んだ帯状の領域として形成されている。第２の領域７４は、拡散シート７２の表面に対して研磨処理、例えばサンドブラストなどの表面処理を施して形成されている。第１の領域７３は、第２の領域７４の周囲に設けられている。なお、図８では、第１の両面テープ３６および第２の両面テープ３７の図示を省略している。
【００４０】
第４の実施形態において、ポータブルコンピュータ７１の電源がオンになっているとき、透光性パネル３２は、発光ダイオード３４によって明るく照らされている。発光ダイオード３４からその直上方向に向けてまっすぐに照射される光は、拡散シート７２の第２の領域７４に照射されるとともに周辺の方向に拡散され、透光性パネル３２のシルク印刷層３８に照射される。また、拡散シート７２の第２の領域７４の周縁部に向けて、発光ダイオード３４から照射された光は、透光性パネル３２のシルク印刷層３８の外周部に向けて拡散するようにシルク印刷層３８に照射される。さらに、第２の領域７４から外れて、第１の領域７３に向けて発光ダイオード３４から斜めに照射される光については、第１の領域７３をそのまま透過して、シルク印刷層３８の外周部にまっすぐに照射される。
【００４１】
第４の実施形態によれば、拡散シート７２の第２の領域７４は、拡散シート７２の光源に正対する部分７５を含んだ帯状の領域である。この構成によれば、第２の領域７４を帯状に形成すればよいため、拡散シート７２にサンドブラスト等の表面処理を施す際に、第１の実施形態に比して加工精度の厳密性を緩和することができる。これによって、拡散シート７２の加工性を向上することができる。
【００４２】
続いて、図９を参照して、電子機器の第５の実施形態について説明する。第５の実施形態の電子機器の一例であるポータブルコンピュータ８１は、拡散シート８２の構成が第１の実施形態と異なっているが、他の部分は第１の実施形態と共通している。このため、主として第１の実施形態と異なる部分について説明し、共通する箇所については共通の符号を付して説明を省略する。
【００４３】
拡散シート８２は、合成樹脂によって形成されたフィルム状のものであり、光をそのまま透過させるように透明になっている第１の領域８３と、光を周囲に向けて拡散させるように曇っている第２の領域８４と、を有している。第２の領域８４は、光源である発光ダイオード３４に対応する位置に設けられている。より具体的には、第２の領域８４は、拡散シート８２の光源に正対する部分７５を含んだ帯状の領域として形成されている。
【００４４】
第２の領域８４は、曇りの程度が位置によって変化するように、グラデーションをつけて形成されている。第２の領域８４は、その中央部８５に行くにつれて曇りの程度が大きくなるように形成されている。第２の領域８４は、拡散シート８２の表面に対して研磨処理、例えばサンドブラストなどの表面処理を施して形成されている。第１の領域８３は、第２の領域８４の周囲に設けられている。なお、図９では、第１の両面テープ３６および第２の両面テープ３７の図示を省略している。
【００４５】
第５の実施形態において、ポータブルコンピュータ８１の電源がオンになっているとき、透光性パネル３２は、発光ダイオード３４によって明るく照らされている。発光ダイオード３４からその直上方向に向けてまっすぐに照射される光は、拡散シート８２の第２の領域８４に照射されるとともに周辺の方向に拡散され、透光性パネル３２のシルク印刷層３８に照射される。また、第２の領域８４の周縁部に向けて、発光ダイオード３４から照射された光は、透光性パネル３２のシルク印刷層３８の外周部に向けて拡散するように照射される。このとき、第２の領域８４の周縁部では、曇りの程度が小さくなっているため、この部分での光の拡散量は小さくなっている。
【００４６】
さらに、第２の領域８４から外れて、第１の領域８３に向けて発光ダイオード３４から斜めに照射される光については、第１の領域８３をそのまま透過して、シルク印刷層３８にまっすぐに照射される。
【００４７】
第５の実施形態によれば、第２の領域８４は、中央部８５に行くにつれて曇りの程度が大きくなっている。光に拡散処理を加える場合に、拡散処理を加えた光と、拡散処理を加えなかった光との間で明るさに差を生ずることがある。上記の構成によれば、第２の領域８４において拡散処理が加えられた光と、第１の領域８３をそのまま通ってきた光との間において明るさ（輝度）に差が発生しているときに、この明るさの違いを低減することができる。すなわち、光源である発光ダイオード３４の直上の方向に照射される明るい光に対しては、透光性パネル３２上の広い範囲に拡散させることができる。一方、第２の領域８４の周縁部に向けて斜めに照射される中程度の明るさの光に対しては、透光性パネル３２上の狭い範囲に拡散させることができる。さらに、第１の領域８３に照射される弱い光については、拡散処理を加えることなく透光性パネル３２に照射することができる。これによって、透光性パネル３２上のシルク印刷層３８を均一な明るさで照らすことができる。
【００４８】
本発明の電子機器は、前記実施の形態に限定されるものではない。上記各実施形態では、本体キャビネット２１にタッチセンサ２５を設けるようにしているが、ディスプレイキャビネット１５にタッチセンサ２５を設けるようにしても良い。また、本発明の電子機器は、ポータブルコンピュータだけはなく、携帯電話機にも適用することができる。このほか、本発明の電子機器は、発明の要旨を逸脱しない範囲で種々変形実施可能であるのは勿論である。
【図面の簡単な説明】
【００４９】
【図１】第１の実施形態に係る電子機器の一例であるポータブルコンピュータを示す斜視図。
【図２】図１に示すポータブルコンピュータのタッチセンサを示す上面図。
【図３】図２に示すタッチセンサを分解して示す分解斜視図。
【図４】図２に示すタッチセンサのＦ４−Ｆ４線に沿った断面図。
【図５】第２の実施形態に係るポータブルコンピュータのタッチセンサの縦方向に沿った断面図。
【図６】第３の実施形態に係るポータブルコンピュータのタッチセンサを分解して示す斜視図。
【図７】図６に示すタッチセンサの縦方向に沿った断面図。
【図８】第４の実施形態に係るポータブルコンピュータのタッチセンサを分解して示す分解斜視図。
【図９】第５の実施形態に係るポータブルコンピュータのタッチセンサを分解して示す分解斜視図。
【符号の説明】
【００５０】
１１、５１、６１、７１、８１…ポータブルコンピュータ、２５…タッチセンサ、３２…透光性パネル、３３…第２のプリント回路板、３４…発光ダイオード、３５、６２、７２、８２…拡散シート、４１Ａ…第１の面、４１Ｂ…第２の面、４１Ｃ…開口部、４３、６３、７３、８３…第１の領域、４４、５２、６４、７４、８４…第２の領域、６５…貫通孔、７５…光源に正対する部分、８５…中央部
【要約】
【課題】消費電力を低く抑えつつ、タッチセンサ全体を明るく照らすことができる電子機器を提供することにある。
【解決手段】電子機器は、筐体と、筐体に取り付けられたタッチセンサ２５と、を具備する。タッチセンサ２５は、筐体の一部に設けられる透光性パネル３２と、透光性パネル３２にユーザが触れたこと感知するプリント回路板３３と、プリント回路板３３に実装されるとともに、透光性パネル３２に向けて光を照射する光源と、透光性パネル３２と光源との間に設けられるとともに、光源から照射される光を拡散させる拡散シート３５と、を備える。拡散シート３５は、光をそのまま透過させるように透明になった第１の領域４３と、光を透光性パネル３２の外周部に向けて拡散させるように曇った第２の領域４４と、を有する。第２の領域４４は、光源に対応する位置に設けられる。第１の領域４３は、第２の領域４４の周囲に設けられる。
【選択図】図４【図１】
0004364286.tif 000002
【図２】
0004364286.tif 000003
【図３】
0004364286.tif 000004
【図４】
0004364286.tif 000005
【図５】
0004364286.tif 000006
【図６】
0004364286.tif 000007
【図７】
0004364286.tif 000008
【図８】
0004364286.tif 000009
【図９】
0004364286.tif 000010